(57)【要約】【課題】フィルタ板とフィルタ取付板とが好適に一体化されたカメラ用露光量制御装置を提供すること。【解決手段】ＮＤフィルタのフィルタ板５には、孔５ａ，５ｂが形成されている。摺動板３とフィルタ板５とを接着する接着フィルムＸには、上記の孔５ａ，５ｂと重なるところに、孔Ｘａ，Ｘｂが形成されている。接着工程において、摺動板３とフィルタ板５がずれて接着された場合には、加熱して両者を接着し直し、両者が正規の取付状態にあることを確認したときには、フィルタ板５側から孔５ａ，Ｘａ、５ｂ，Ｘｂに接着フィルムＸよりもガラス転移温度の高い接着剤Ｙを充填し、両者を確実に一体化するようになっている。【選択図】  図４
2004302105.tif 000002
【特許請求の範囲】
【請求項１】
撮影光路用開口部を覆っているときは被写体光を減光させ該被写体光の透過領域以外の領域に少なくとも一つの貫通孔を有しているフィルタ板と、前記フィルタ板を取り付けたフィルタ取付板と、少なくとも一つの貫通孔を有しており該貫通孔を前記フィルタ板の貫通孔に位置合わせをして両面で前記フィルタ板と前記フィルタ取付板とを接着させている接着フィルムと、前記フィルタ板と前記フィルタ取付板とを前記接着フィルムで接着したあとその接着によって位置合わせをされた両者の貫通孔内に充填された前記接着フィルムよりもガラス転移温度が高い接着剤と、前記フィルタ取付板を前記フィルタ板が撮影光路用開口部を覆っている位置と全開させている位置との間で作動させる駆動手段と、を備えていることを特徴とするカメラ用露光量制御装置。
【請求項２】
前記接着フィルムの貫通孔が、前記フィルム板の貫通孔よりも大きいことを特徴とする請求項１に記載のカメラ用露光量制御装置。
【発明の詳細な説明】
【０００１】
【発明の属する技術分野】
本発明は、フィルタ板を撮影光路用開口部内に臨ませ、被写体光の減光を可能にしたカメラ用露光量制御装置に関する。
【０００２】
【従来の技術】
スチルカメラやビデオカメラに使用する露光量制御手段の一つとして、ＮＤフィルタを用いることが知られているが、最近では、ＮＤフィルタは合成樹脂の板材で製作され、しかもカメラに内蔵することが多くなってきている。そして、カメラに内蔵される場合には、殆どの場合、そのフィルタ板は、フィルタ取付板（絞り羽根の場合もある）に取り付けられていて、駆動手段がそのフィルタ取付板を往復作動させることによって、撮影光路用開口部に進退させられるようになされている。そして、フィルタ板をフィルタ取付板に取り付けるに際しては、接着剤を用いるのが一般的である（例えば、特許文献１参照）。
【０００３】
【特許文献１】
特開平１０−１３３２５３号公報（第２，３頁、図１，２，６）
【０００４】
【発明が解決しようとする課題】
ところで、最近では、カメラの小型化に伴い、フィルタ板とフィルタ取付板との接着面積もかなり小さくなっており、液体状の接着剤を用いるときは、接着剤が両者間から染み出して、被写体光を透過させる領域に付着してしまうことがある。そのため、作業が非常にやり難くなっていて、フィルタ板やフィルタ取付板の形状を、染み出しにくい形状にすることも考えられている。他方、そのような染み出しのおそれの少ない接着剤として、一般に接着フィルム，接着シート，粘着シートなどといわれている接着剤（以下、接着フィルムという）があり、その接着剤を間に挟んで、フィルタ板とフィルタ取付板とを圧力を加えながら加熱して接着させることも考えられている。
【０００５】
しかしながら、そのような接着剤を用いると、接着工程後における高温試験時に接着剤が軟化し、取り扱い方によっては、フィルタ板とフィルタ取付板との取付状態がずれてしまうことがあったり、高温下でのカメラ使用時においてフィルタ取付板を作動させると、フィルタ板の取り取付状態がずれてしまったりするおそれがある。
【０００６】
本発明は、このような問題点を解決するためになされたものであり、その目的とするところは、フィルタ板とフィルタ取付板との接着工程のあとでは、高温下でも両者の取付状態がずれてしまうことのないカメラ用露光量制御装置を提供することである。
【０００７】
【課題を解決するための手段】
上記の目的を達成するために、本発明のカメラ用露光量制御装置は、撮影光路用開口部を覆っているときは被写体光を減光させ該被写体光の透過領域以外の領域に少なくとも一つの貫通孔を有しているフィルタ板と、前記フィルタ板を取り付けたフィルタ取付板と、少なくとも一つの貫通孔を有しており該貫通孔を前記フィルタ板の貫通孔に位置合わせをして両面で前記フィルタ板と前記フィルタ取付板とを接着させている接着フィルムと、前記フィルタ板と前記フィルタ取付板とを前記接着フィルムで接着したあとその接着によって位置合わせをされた両者の貫通孔内に充填された前記接着フィルムよりもガラス転移温度が高い接着剤と、前記フィルタ取付板を前記フィルタ板が撮影光路用開口部を覆っている位置と全開させている位置との間で作動させる駆動手段と、を備えている。また、その場合、前記接着フィルムの貫通孔が、前記フィルム板の貫通孔よりも大きいようにすると、フィルタ板とフィルタ取付板が好適に接着される。
【０００８】
【発明の実施の形態】
本発明の実施の形態を、図示した実施例によって説明する。尚、図１は、実施例の初期状態を示す正面図であり、図２は、図１の下方から見た底面図であり、図３は、図１の下方から見て要部を断面で示した底面図である。また、図４は、実施例に備えられているフィルタ板付き摺動板を示したものであって、図４（ａ）はその正面図であり、図４（ｂ）は図４（ａ）におけるＡ−Ａ線断面図である。更に、図５及び図６は、実施例の正面図であって、図５は、撮影光路用の開口部が一部覆われた状態を示したものであり、図６は、撮影光路用の開口部が全開にされた状態を示してものである。
【０００９】
先ず、本実施例の構成を説明する。主地板１と補助地板２は、合成樹脂製であって、略同じ外形形状をしている。図１に示すように、主地板１は、略中央部に開口部１ａを有し、下方部には円弧状の長孔１ｂ，１ｃを有しており、補助地板２は、撮影光路を規制する円形の開口部２ａを有している。また、補助地板２は、図１における上方部が主地板１のフック部１ｄに掛け止めされ、下方部は、主地板１と共に、後述するサポート部材７に設けられた可撓性を有する二つのフック部７ａ，７ｂに掛け止めされている。そして、主地板１と補助地板２の間には、収容室を構成している。尚、カメラに対する取付部の図示は省略されている。
【００１０】
また、収容室内には、相対的に作動する２枚の摺動板３，４が、それらの一部を重ねて配置されている。そして、主地板１側に配置されている摺動板３は、直線状の長孔３ａ，３ｂ，３ｃを有していて、それらのうち、長孔３ａ，３ｂを、主地板１に設けられているガイドピン１ｅ，１ｆに嵌合させている。この摺動板３の主地板１側の面には、開口部２ａに臨み得るようにしてフィルタ板５が取り付けられているが、その詳しい取付け方は後述する。尚、フィルタ板５はＮＤフィルタであって、それを取り付けた状態の摺動板３は、図４に分かり易く示してある。他方、もう一つの摺動板４は、直線状の長孔４ａ，４ｂ，４ｃを有していて、それらのうち、長孔４ａ，４ｂを、主地板１に設けられたガイドピン１ｇ，１ｈに嵌合させている。
【００１１】
次に、図１において主地板１の表面側（即ち、図２，図３における上面側）に取り付けられている部材の構成を説明する。先ず、モータ６はムービングマグネット型モータなどと言われている周知の電流制御式のモータである。固定子は、カップ状をした上枠６ａと下枠６ｂとによってロータ室を構成し、それらの外側にコイル６ｃを巻回した後、その外側に円筒形のヨーク６ｄを嵌め合わせている。また、上枠６ａには、後述の回転子６ｆの周面に対向するようにして、周知の磁性体棒（鉄ピンともいわれる）６ｅが埋設されており、また、図示していないが、磁性体棒６ｅとは異なる位置に、回転子６ｆの周面に対向するようにして、ホール素子も取り付けられている。更に、下枠６ｂには三つの張出部６ｂ−１，６ｂ−２，６ｂ−３が形成されている。
【００１２】
また、上記のロータ室には、径方向に２極に着磁された永久磁石製の回転子６ｆが軸受けされているが、図１，図５，図６においては磁極の境界線を一点鎖線で示している。この回転子６ｆは径方向に対称的に延伸した二つの腕部６ｇ，６ｈを有しており、それらの腕部６ｇ，６ｈは、下枠６ｂに設けられた図示していない夫々の窓から外部へ突き出されていて、それらの先端に設けられている駆動ピン６ｉ，６ｊは、上記の円弧状の長孔１ｂ，１ｃを貫通し、収容室内において摺動板３，４の長孔３ｃ，４ｃに嵌合している。尚、下枠６ｂに設けられている上記の二つの長孔は、所定の角度範囲にわたって形成されており、上枠６ａと下枠６ｂとの形状次第では、上枠６ａに形成されることもあるし、上枠６ａと下枠６ｂとの両者によって形成されることもある。
【００１３】
次に、主地板１に対するモータ６の取付構成を説明する。本実施例の場合は、下枠６ｂの下面に設けた二つの位置決め用のピン６ｋ，６ｍ（図３参照）を主地板１に設けられた夫々の孔に嵌合させておき、下枠６ｂの張出部６ｂ−３をビス８によって主地板１に螺止している。ところが、これだけの取付構成では、この種のモータが極めて小型であって、張出部６ｂ−３も実際には薄いことから、製作直後は問題がなかったとしても、いずれは、図１における張出部６ｂ−１側が主地板１から浮き上がってしまうおそれがある。
【００１４】
そのため、本実施例は、合成樹脂製のサポート部材７を設けている。このサポート部材７は、略中央部に形成された円形の孔にヨーク６ｄをくぐらせた状態にしておき、左右両端に設けられた可撓性を有するフック部７ａ，７ｂを、補助地板２に掛けている。従って、この構成は、サポート部材７を主地板１に取り付けることと、補助地板２を主地板１に取り付けることとを、同時に可能としたものである。また、図１及び図２から分かるように、サポート部材７の周囲に形成されている外壁７ｃの一部が３箇所で切除されていて、その切断面が、下枠６ｂの張出部６ｂ−１，６ｂ−２，６ｂ−３に接しており、下枠６ｂ（即ち、モータ６）が、ビス８による取付部を支点にして主地板１から浮き上がらないようになっている。
【００１５】
ここで、図４を用いて、金属製の薄板で製作された摺動板３と、合成樹脂によってＮＤフィルタとして製作されたフィルタ板５との取付け方を説明する。フィルタ板５には、二つの円形の孔５ａ，５ｂが形成されている。そこで先ず、そのフィルタ板５に対して、ポリエステル系の熱可溶性の接着フイルムＸを貼り付ける。本実施例の場合は、接着フィルムＸに、フィルタ板５の孔５ａ，５ｂよりも若干直径の大きな孔Ｘａ，Ｘｂが形成されていて、それらの中心を孔５ａ，５ｂの中心に位置合わせをして貼り付けている。このような接着フィルムＸは種々知られており、接着フィルムと被着体とを接触させて加熱すると共に、圧力をかけるようにして押し続けて融合させた後、冷却することで接着が完了するものである。また、この熱可溶性の接着フィルムは、常温付近で硬化する（ガラス転移温度が、例えば、２０℃）が、温度を上げる（例えば、６０℃）と軟化する性質を有している。
【００１６】
次に、接着フィルムＸを摺動板３側にして、フィルタ板５を摺動板３に貼り付ける。このようにして、摺動板３にフィルタ５を一体化したものが、図４（ａ）に示されている。そして、この図４（ａ）においては、接着フィルムＸの存在領域を、複数のドットで示してある。
【００１７】
ところが、そのようにして正規に一体化された場合でも、そのままでは問題が生じてしまう。即ち、カメラの高温検査を行うときや、高温下でのカメラの使用時において、接着フィルムＸが軟化し、摺動板３とフィルタ板５とが、ずれたり剥離したりするおそれがあるからである。そこで、本実施例の場合には、製作時に、接着フィルムＸによって摺動板３とフィルタ板５とを正規に一体化した後、孔５ａ，５ｂに、高温下の環境（６０℃）よりも高く且つ接着フィルムＸよりもガラス転移温度が高い（例えば、１２０℃）接着剤Ｙを充填してあるから、このような充填によって、高温の環境下でも両者がずれてしまうというような問題が全く生じない。
【００１８】
図４（ａ）においては、そのようにして接着剤Ｙが充填され硬化している領域が、複数の×印で示してある。また、図４（ｂ）では、図面を見やすくするために、その接着剤Ｙの図示と符号を省略してある。ところで、本実施例の場合には、孔５ａ，５ｂの直径よりも孔Ｘａ，Ｘｂの直径の方が大きいため、図４（ｂ）からも分かるように、摺動板３とフィルタ板５との間には隙間ができていて、孔５ａ，５ｂへ充填した接着剤Ｙが、その隙間に入り込み、接着効果を一段と上げるようにしている。しかしながら、そこまでしなくても十分に接着されるのであれば、孔Ｘａ，Ｘｂの大きさには、こだわる必要がない。また、各々の孔５ａ，５ｂ，Ｘａ，Ｘｂの形状は円形に限ることはないし、それらの孔の数も二つずつに限定されない。
【００１９】
次に、上記のように構成されている本実施例の作動を説明するが、先ず、本実施例が、ビデオカメラに採用された場合について説明する。図１は、撮影が行われておらず且つ電源がオフの状態を示している。このとき、本実施例の露光量制御装置は初期状態となっていて、モータ６は、回転子６ｆが反時計方向へ回転した位置で停止されており、それにより、摺動板３は上限位置にあり、摺動板４は下限位置にあって、撮影光路用開口を規制する円形の開口部２ａは、それらの二つの摺動板３，４によって完全に覆われている。従って、図示していない固体撮像素子は、光にさらされておらず、性能の劣化が防止されている。また、電源がオフであるにもかかわらず、このような状態が確実に維持されている理由は周知であって、回転子６ｆのＳ極と磁性体棒６ｅとの間に作用する吸引力によって、回転子６ｆが反時計方向へ回転するように付勢されていて、駆動ピン６ｉ，６ｊが長孔１ｂ，１ｃの端面に接触させられているからである。
【００２０】
撮影に先だって電源をオンにすると、モータ６のコイル６ｃに対して正方向の通電がなされ、回転子６ｆは時計方向へ回転させられる。それによって、駆動ピン６ｊが、摺動板３を下降させ始め、駆動ピン６ｉが、摺動板４を上昇させ始める。そのため、開口部２ａは、最初、フィルタ板５のみによって覆われて被写体光を透過させ、光軸を中心にしてその透過領域の面積を大きくしていくが、ある時点からは、被写体光を、フィルタ板５で透過させるだけではなく、フィルタ板５と摺動板４との間に形成された三角状の開口からも通過させるようになり、その三角状の開口面積を大きくしていく。そして、図５は、そのようにして行われる作動の略中間時点を示したものであり、図６は、その後、開口部２ａを全開にし、駆動ピン６ｉ，６ｊが長孔１ｂ，１ｃの端面に当接して、停止した状態を示したものである。
【００２１】
このようにして行われる摺動板３，４の作動位置は、モータ６に取り付けられている図示していないホール素子が、回転子６ｆの回転位置を検出することによって検出されている。そのため、回転子６ｆがその作動の途中において、所定の光量制御位置に達したことを、ホール素子によって検出されると、以後は、周知のように、回転子６ｆの磁極と磁性体棒６ｅとの間に作用する吸引力とのバランスをとるために、コイル６ｃに対する電流値や通電方向を制御して、摺動板３，４を停止状態にする。そして、その状態で、撮影が開始される。
【００２２】
また、撮影中に被写体の明るさが変化すると、回転子６ｆがそれに対応した方向へ回転するように、コイル６ｃに対して所定の方向への通電が所定の電流値で行われ、回転子６ｆが所定の光量制御位置に達した後は、上記と同じようにしてその状態が維持されるようにする。そして、撮影が終了し、且つ電源をオフにした場合には、そのオフ信号によって、コイル６ｃに対して逆方向の通電が行なわれ、回転子６ｆが図１の状態になったことをホール素子が検出すると、その通電が自動的に断たれるようになっている。尚、本実施例の場合は、コイル６ｃが一組であるが、周知のように、コイルを二組設けておき、一方のコイルには、回転子６ｆを一方の方向に回転させる通電だけを行い、他方のコイルには、逆方向に回転させる通電だけを行うようにしてもよい。
【００２３】
次に、銀塩カメラやデジタルスチルカメラに採用された場合の典型的な作動例を説明する。この場合には、電源をオンにすると、コイル６ｃに正方向の通電が行われ、回転子６ｆは図６に示された状態まで回転して停止させられる。そのため、開口部２ａは全開状態となっている。また、このとき、コイル６ｃに対する通電を断っても、この状態は維持されている。何故ならば、回転子６ｆのＮ極と磁性体棒６ｅとの間に作用する吸引力によって、回転子６ｆが時計方向へ回転するように付勢されていて、駆動ピン６ｉ，６ｊが長孔１ｂ，１ｃの端面に接触させられているからである。
【００２４】
そこで、撮影に際して、レリーズボタンが押されると、実際に撮影が開始される前に、先ず測光結果に基づいて光量調整が行なわれる。そして、被写体光量を減じないで撮影する場合には、この状態で撮影が開始されるが、被写体光量を減じて撮影する場合には、コイル６ｃに対して逆方向の通電がなされ、回転子６ｆに反時計方向へ回転する力を付与する。そして、開口部２ａが摺動板３，４によって覆われて行き、フィルタ板５のみによって被写体光を透過させる状態に達すると、その位置をホール素子が検出し、コイル６ｃに対する通電を制御して、回転子６ｆの停止状態を維持する。その状態で撮影が開始され、終了すると、その終了信号で、コイル６ｃには所定の電流値で正方向の通電が行われ、回転子６ｆは、時計方向へ回転させられる。それによって、図６の状態に復帰すると、通電が断たれ、次の撮影の待機状態となる。
【００２５】
また、図６の状態に復帰し、もはや撮影を続ける意思がなく、電源をオフにした場合には、そのオフ信号によって、コイル６ｃに対して逆方向の通電が行なわれ、その後、回転子６ｆが図１の状態になったことをホール素子が検出すると、その通電が自動的に断たれるようになっている。尚、この作動例は、一般にデジタルスチルカメラに多く採用されているように、被写体光路を２段階に切り換える場合で説明したが、開口部２ａの一部が摺動板３，４によって覆われた状態であっても、フィルタ板５による透過面積の異なる複数の位置で停止させるようにすれば、３段階以上の切換が行えるようになることは言うまでもない。
【００２６】
尚、本実施例においては、摺動板３，４が、直線的に往復作動するように構成されていて、その一方の摺動板３にだけフィルタ板５を取り付けているが、摺動板４にも、フィルタ板５に相当するフィルタ板を同様の方法で取り付けるようにしても差し支えない。
【００２７】
また、摺動板４を設けずに、摺動板３だけを設けていて、フィルタ板５の形状を大きくすることによって、その摺動板３を、開口部２ａを全開にした位置と、フィルタ板５で開口部２ａを覆った位置との間で作動させるようにしても差し支えない。その場合、実施例においては、フィルタ板５を取り付けた摺動板３を直線的に摺動させているが、摺動板３とフィルタ板５との形状を変えることによって、摺動板３に回転運動をさせ、フィルタ板５を撮影光路に進退させるさせるようにしても構わない。また、摺動板３を直線的に作動させる場合であっても、回転作動させる場合であっても、摺動板３に円形開口部を形成しておき、その開口部を覆うようにてフィルタ板５を貼り付けても構わない。
【００２８】
更に、上記の実施例は、いずれも、駆動手段としてムービングマグネット型モータを採用しているが、本発明は、その種のモータには限定されず、ステップモータを採用してもよいし、手動で作動させるようにしてもよい。
【００２９】
【発明の効果】
以上のように、本発明のカメラ用露光量制御装置においては、フィルタ板とフィルタ取付板の接着工程において、先ず、接着フィルムで両者を接着し、その後に、接着フィルムよりもガラス転移温度が高い別の接着剤で両者を接着しているので、高温環境下でもフィルタ板のずれが生じないという利点がある。
【図面の簡単な説明】
【図１】実施例の初期状態を示す正面図である。
【図２】図１の下方から見た底面図である。
【図３】図１の下方から見て要部を断面で示した底面図である。
【図４】実施例に備えられているフィルタ板付き摺動板を示したものであって、図４（ａ）はその正面図であり、図４（ｂ）は図４（ａ）におけるＡ−Ａ線断面図である。
【図５】実施例の正面図であって、撮影光路用の開口部が一部覆われた状態を示している。
【図６】実施例の正面図であって、撮影光路用の開口部が全開にされた状態を示している。
【符号の説明】
１                            主地板
１ａ，２ａ                    開口部
１ｂ，１ｃ                    長孔
１ｄ，７ａ，７ｂ              フック部
１ｅ，１ｆ，１ｇ，１ｈ        ガイドピン
２                            補助地板
３，４                        摺動板
３ａ，３ｂ，３ｃ，４ａ，４ｂ，４ｃ  長孔
５                            フィルタ板
５ａ，５ｂ，Ｘａ，Ｘｂ        孔
６                            モータ
６ａ                          上枠
６ｂ                          下枠
１６ｂ−１，１６ｂ−２，１６ｂ−３  張出部
６ｃ                          コイル
６ｄ                          ヨーク
６ｅ                          磁性体棒
６ｆ                          回転子
６ｇ，６ｈ                    腕部
６ｉ，６ｊ                    駆動ピン
６ｋ，６ｍ                    ピン
７                            サポート部材
７ｃ                          外壁
８                            ビス
Ｘ                            接着フィルム
Ｙ                            接着剤
【図１】
2004302105.tif 000003
【図２】
2004302105.tif 000004
【図３】
2004302105.tif 000005
【図４】
2004302105.tif 000006
【図５】
2004302105.tif 000007
【図６】
2004302105.tif 000008